【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
アクセスポイント（ＡＰ）であって、
該ＡＰはビーコン要求を送信するように構成されていることを特徴とするＡＰ。
【請求項２】
請求項１に記載のＡＰにおいて、測定要求フィールドが前記ビーコン要求に該当することを特徴とするＡＰ。
【請求項３】
請求項１に記載のＡＰにおいて、前記ビーコン要求は１オクテットの長さのチャネル番号を備え、測定要求が適用される該チャネル番号を指示することを特徴とするＡＰ。
【請求項４】
請求項１に記載のＡＰにおいて、前記ビーコン要求は、１オクテットの長さのチャネルバンドを備え、測定要求が適用される周波数バンドを指示することを特徴とするＡＰ。
【請求項５】
請求項４に記載のＡＰにおいて、０のチャネルバンド値は２．４ＧＨｚバンドを指示し、１のチャネルバンド値は５ＧＨｚバンドを指示することを特徴とするＡＰ。
【請求項６】
請求項１に記載のＡＰにおいて、前記ビーコン要求は、要求された測定の継続期間に等しく設定され、タイムユニット（ＴＵ）で表現された、２オクテットの長さの測定継続期間を備えることを特徴とするＡＰ。
【請求項７】
請求項１に記載のＡＰにおいて、前記ビーコン要求は１オクテットの長さのスキャンモードを備え、測定のために使用されるべき前記スキャンモードを指示することを特徴とするＡＰ。
【請求項８】
請求項７に記載のＡＰにおいて、０のスキャンモード値はパッシブスキャンモードを指示し、１のスキャンモード値はアクティブスキャンモードを指示し、２のスキャンモード値はビーコンテーブルモードを指示することを特徴とするＡＰ。
【請求項９】
請求項７に記載のＡＰにおいて、３〜２５５の範囲におけるスキャンモード値が予約済であることを特徴とするＡＰ。
【請求項１０】
請求項８に記載のＡＰにおいて、パッシブスキャンモードは、測定ＳＴＡが指定のチャネル上で受動的に受信することを指示し、それがビーコンまたはプローブ応答を検出する各ＳＴＡにつき１つの情報要素を含むビーコンレポートを戻し、測定チャネルがまたサービスチャネルでもある場合には、前記ＳＴＡは同時にその通常のデータトラフィックオペレーションを実行することを特徴とするＡＰ。
【請求項１１】
請求項８に記載のＡＰにおいて、アクティブスキャンモードは、測定ＳＴＡがプローブ要求をブロードキャストＳＳＩＤと共に送信することを指示し、ブローブ応答が前記測定ＳＴＡ自体のプローブ要求によってトリガされたかどうかにかかわらず、それがビーコンまたは前記プローブ応答を検出する各ＳＴＡにつき１つの情報要素を含む、ビーコンレポートを戻すことを特徴とするＡＰ。
【請求項１２】
請求項８に記載のＡＰにおいて、ビーコンテーブルモードは、測定ＳＴＡが、追加の測定を実行することなく、ビーコンテーブルの現在のコンテンツを含むビーコンレポートを戻すことを指示することを特徴とするＡＰ。
【請求項１３】
請求項１に記載のＡＰにおいて、前記ビーコン要求は６オクテットの長さのＢＳＳＩＤを備え、前記ＢＳＳＩＤは、それについてビーコンレポートが要求される特定のＢＳＳの前記ＢＳＳＩＤを指示することを特徴とするＡＰ。
【請求項１４】
請求項１３に記載のＡＰにおいて、前記ＢＳＳＩＤは、チャネル上のすべてのＢＳＳについてのビーコンレポートを要求するとき、ブロードキャストＢＳＳＩＤに設定されることを特徴とするＡＰ。
【請求項１５】
請求項１に記載のＡＰにおいて、前記ビーコン要求は２オクテットの長さの測定期間を備え、この測定が単発測定イベントであるか、各測定期間に渡って繰り返される周期的測定であるかを指示することを特徴とするＡＰ。
【請求項１６】
請求項１５に記載のＡＰにおいて、前記測定期間はタイムユニットサブフィールドおよび期間サブフィールドに分割され、前記タイムユニットサブフィールドは、前記期間サブフィールドのための前記タイムユニットを定義することを特徴とするＡＰ。
【請求項１７】
請求項１６に記載のＡＰにおいて、前記期間サブフィールドは、この期間測定のための繰り返し時間間隔を表す、１４ビットの符号なし整数を備えることを特徴とするＡＰ。
【請求項１８】
請求項１７に記載のＡＰにおいて、０の期間サブフィールド値は、前記測定が期間ではなく単発測定であることを指示することを特徴とするＡＰ。
【請求項１９】
請求項１６に記載のＡＰにおいて、前記タイムユニットサブフィールドは、前記測定期間の２ＭＳＢからなることを特徴とするＡＰ。
【請求項２０】
請求項１に記載のＡＰにおいて、前記ビーコン要求は１オクテットの長さのレポーティング条件を備え、測定結果が要求ＳＴＡにレポートされるべきであるときを定義することを特徴とするＡＰ。
【請求項２１】
請求項２０に記載のＡＰにおいて、０のレポーティング条件値は、各測定後に発行されるべきレポートを指示することを特徴とするＡＰ。
【請求項２２】
請求項２０に記載のＡＰにおいて、１のレポーティング条件値は、測定された信号の受信チャネル電力インジケータ（ＲＣＰＩ）レベルが、ヒステリシスを伴う絶対しきい値よりも上回るときに、発行されるべきレポートを指示することを特徴とするＡＰ。
【請求項２３】
請求項２０に記載のＡＰにおいて、２のレポーティング条件値は、測定された信号のＲＣＰＩレベルが、ヒステリシスを伴う絶対しきい値よりも下回るときに、発行されるべきレポートを指示することを特徴とするＡＰ。
【請求項２４】
請求項２０に記載のＡＰにおいて、３のレポーティング条件値は、測定された信号の感知信号対雑音インジケータ（ＰＳＮＩ）レベルが、ヒステリシスを伴う絶対しきい値よりも上回るときに、発行されるべきレポートを指示することを特徴とするＡＰ。
【請求項２５】
請求項２０に記載のＡＰにおいて、４のレポーティング条件値は、測定された信号のＰＳＮＩレベルが、ヒステリシスを伴う絶対しきい値より下回るときに、発行されるべきレポートを指示することを特徴とするＡＰ。
【請求項２６】
請求項２０に記載のＡＰにおいて、５のレポーティング条件値は、測定された信号のＲＣＰＩレベルが、サービスＡＰのＲＣＰＩからのオフセット（ヒステリシスを伴う）によって定義されたしきい値よりも上回るときに、発行されるべきレポートを指示することを特徴とするＡＰ。
【請求項２７】
請求項２０に記載のＡＰにおいて、６のレポーティング条件値は、測定された信号のＲＣＰＩレベルが、サービスＡＰのＲＣＰＩからのオフセット（ヒステリシスを伴う）によって定義されたしきい値よりも下回るときに、発行されるべきレポートを指示することを特徴とするＡＰ。
【請求項２８】
請求項２０に記載のＡＰにおいて、７のレポーティング条件値は、測定された信号のＰＳＮＩレベルが、サービスＡＰのＰＳＮＩからのオフセット（ヒステリシスを伴う）によって定義されたしきい値よりも上回るときに、発行されるべきレポートを指示することを特徴とするＡＰ。
【請求項２９】
請求項２０に記載のＡＰにおいて、８のレポーティング条件値は、測定された信号のＰＳＮＩレベルが、サービスＡＰのＰＳＮＩからのオフセット（ヒステリシスを伴う）によって定義されたしきい値よりも下回るときに、発行されるべきレポートを指示することを特徴とするＡＰ。
【請求項３０】
請求項２０に記載のＡＰにおいて、９のレポーティング条件値は、測定された信号のＲＣＰＩレベルが、サービスＡＰのＲＣＰＩ、および、前記サービスＡＰのＲＣＰＩからのオフセット（ヒステリシスを伴う）によって制約された範囲に入り、そのまま残るときに、開始するべき周期的レポート（測定毎に１つづつ）を指示することを特徴とするＡＰ。
【請求項３１】
請求項２０に記載のＡＰにおいて、１０のレポーティング条件値は、測定された信号のＰＳＮＩレベルが、サービスＡＰのＰＳＮＩ、および、前記サービスＡＰのＰＳＮＩからのオフセット（ヒステリシスを伴う）によって制約された範囲に入り、そのまま残るときに、開始するべき周期的レポート（測定毎に１つづつ）を指示することを特徴とするＡＰ。
【請求項３２】
請求項２０に記載のＡＰにおいて、１１〜２５５のレポーティング条件値が予約済であることを特徴とするＡＰ。
【請求項３３】
請求項１に記載のＡＰにおいて、前記ビーコン要求は、１オクテットの長さのしきい値／オフセットを備え、該しきい値／オフセットは、条件付きレポーティングのために使用されるべき前記しきい値または前記オフセット値のいずれかを提供することを特徴とするＡＰ。
【請求項３４】
請求項３３に記載のＡＰにおいて、前記しきい値が、ＰＳＮＩまたはＲＣＰＩと同じユニットを有する符号なし８ビット整数であり、前記オフセット値が、［−１２７，＋１２７］の範囲における符号付き７ビット整数であることを特徴とするＡＰ。
【請求項３５】
請求項１に記載のＡＰにおいて、前記ビーコン要求は、１オクテットの長さのヒステリシスを備え、該ヒステリシスは、しきい値／オフセットフィールドで使用されたものと同じユニットを有する、符号なし８ビット整数ヒステリシス値を提供することを特徴とするＡＰ。
【請求項３６】
請求項１に記載のＡＰにおいて、前記ＡＰは、前記ビーコン要求に応答して送信される、少なくとも１つのビーコンレポートを受信するように構成されることを特徴とするＡＰ。
【請求項３７】
請求項１に記載のＡＰにおいて、前記ビーコン要求は、前記ＡＰのビーコンにおいて送信されることを特徴とするＡＰ。
【請求項３８】
無線送受信ユニット（ＷＴＲＵ）であって、
前記ＷＴＲＵはビーコン要求を受信するように構成されることを特徴とするＷＴＲＵ。
【請求項３９】
請求項３８に記載のＷＴＲＵにおいて、前記ビーコン要求は前記ＷＴＲＵに、少なくとも１つの信号状態の測定を取り、レポートするように命令することを特徴とするＷＴＲＵ。
【請求項４０】
請求項３９に記載のＷＴＲＵにおいて、前記命令された測定を取り、レポートするようにさらに構成されることを特徴とするＷＴＲＵ。
【請求項４１】
請求項４０に記載のＷＴＲＵにおいて、前記命令された測定を、少なくとも１つのビーコンレポートにおいてレポートするようにさらに構成されることを特徴とするＷＴＲＵ。
【請求項４２】
請求項４０に記載のＷＴＲＵにおいて、測定要求フィールドは前記ビーコン要求に対応することを特徴とするＷＴＲＵ。
【請求項４３】
請求項４１に記載のＷＴＲＵにおいて、前記ビーコン要求は１オクテットの長さのチャネル番号を備え、測定要求が適用される前記チャネル番号を指示することを特徴とするＷＴＲＵ。
【請求項４４】
請求項４１に記載のＷＴＲＵにおいて、前記ビーコン要求は、１オクテットの長さのチャネルバンドを備え、測定要求が適用される周波数バンドを指示することを特徴とするＷＴＲＵ。
【請求項４５】
請求項４４に記載のＷＴＲＵにおいて、０のチャネルバンド値は２．４ＧＨｚバンドを指示し、１のチャネルバンド値は５ＧＨｚバンドを指示することを特徴とするＷＴＲＵ。
【請求項４６】
請求項４１に記載のＷＴＲＵにおいて、前記ビーコン要求は、要求された測定の継続期間に等しく設定され、タイムユニット（ＴＵ）で表現された、２オクテットの長さの測定継続期間を備えることを特徴とするＷＴＲＵ。
【請求項４７】
請求項４１に記載のＷＴＲＵにおいて、前記ビーコン要求は１オクテットの長さのスキャンモードを備え、前記測定のために使用されるべき前記スキャンモードを指示することを特徴とするＷＴＲＵ。
【請求項４８】
請求項４７に記載のＷＴＲＵにおいて、０のスキャンモード値はパッシブスキャンモードを指示し、１のスキャンモード値はアクティブスキャンモードを指示し、２のスキャンモード値はビーコンテーブルモードを指示することを特徴とするＷＴＲＵ。
【請求項４９】
請求項４７に記載のＷＴＲＵにおいて、３〜２５５の範囲におけるスキャンモード値が予約済であることを特徴とするＷＴＲＵ。
【請求項５０】
請求項４８に記載のＷＴＲＵにおいて、パッシブスキャンモードは、測定ＳＴＡが指定されたチャネル上で受動的に受信することを指示し、それがビーコンまたはプローブ応答を検出する各ＳＴＡにつき１つの情報要素を含むビーコンレポートを戻し、測定チャネルがまたサービスチャネルでもある場合、前記ＳＴＡは同時にその通常のデータトラフィックオペレーションを実行することを特徴とするＷＴＲＵ。
【請求項５１】
請求項４８に記載のＷＴＲＵにおいて、アクティブスキャンモードは、測定ＳＴＡがプローブ要求をブロードキャストＳＳＩＤと共に送信することを指示し、ブローブ応答が前記測定ＳＴＡ自体のプローブ要求によってトリガされたかどうかにかかわらず、それがビーコンまたは前記プローブ応答を検出する各ＳＴＡにつき１つの情報要素を含む、ビーコンレポートを戻すことを特徴とするＷＴＲＵ。
【請求項５２】
請求項４８に記載のＷＴＲＵにおいて、ビーコンテーブルモードは、測定ＳＴＡが、追加の測定を実行することなく、ビーコンテーブルの現在のコンテンツを含むビーコンレポートを戻すことを指示することを特徴とするＷＴＲＵ。
【請求項５３】
請求項４１に記載のＷＴＲＵにおいて、前記ビーコン要求は６オクテットの長さのＢＳＳＩＤを備え、前記ＢＳＳＩＤは、それについてビーコンレポートが要求される特定のＢＳＳの前記ＢＳＳＩＤを指示することを特徴とするＷＴＲＵ。
【請求項５４】
請求項５３に記載のＷＴＲＵにおいて、前記ＢＳＳＩＤは、チャネル上のすべてのＢＳＳについてのビーコンレポートを要求するとき、ブロードキャストＢＳＳＩＤに設定されることを特徴とするＷＴＲＵ。
【請求項５５】
請求項４１に記載のＷＴＲＵにおいて、前記ビーコン要求は２オクテットの長さの測定期間を備え、この測定が単発測定イベントであるか、各測定期間に渡って繰り返される周期的測定であるかを指示することを特徴とするＷＴＲＵ。
【請求項５６】
請求項５５に記載のＷＴＲＵにおいて、前記測定期間はタイムユニットサブフィールドおよび期間サブフィールドに分割され、前記タイムユニットサブフィールドは、前記期間サブフィールドのための前記タイムユニットを定義することを特徴とするＷＴＲＵ。
【請求項５７】
請求項５６に記載のＷＴＲＵにおいて、前記期間サブフィールドは、この期間測定のための繰り返し時間間隔を表す、１４ビットの符号なし整数を備えることを特徴とするＷＴＲＵ。
【請求項５８】
請求項５７に記載のＷＴＲＵにおいて、０の期間サブフィールド値は、前記測定が期間ではなく単発測定であることを指示することを特徴とするＷＴＲＵ。
【請求項５９】
請求項５６に記載のＷＴＲＵにおいて、前記タイムユニットサブフィールドは、前記測定期間の２ＭＳＢからなることを特徴とするＷＴＲＵ。
【請求項６０】
請求項４１に記載のＷＴＲＵにおいて、前記ビーコン要求は１オクテットの長さのレポーティング条件を備え、測定結果が要求ＳＴＡにレポートされるべきであるときを定義することを特徴とするＷＴＲＵ。
【請求項６１】
請求項６０に記載のＷＴＲＵにおいて、０のレポーティング条件値は、各測定後に発行されるべきレポートを指示することを特徴とするＷＴＲＵ。
【請求項６２】
請求項６０に記載のＷＴＲＵにおいて、１のレポーティング条件値は、測定された信号の受信チャネル電力インジケータ（ＲＣＰＩ）レベルが、ヒステリシスを伴う絶対しきい値よりも上回るときに、発行されるべきレポートを指示することを特徴とするＷＴＲＵ。
【請求項６３】
請求項６０に記載のＷＴＲＵにおいて、２のレポーティング条件値は、測定された信号のＲＣＰＩレベルが、ヒステリシスを伴う絶対しきい値よりも下回るときに、発行されるべきレポートを指示することを特徴とするＷＴＲＵ。
【請求項６４】
請求項６０に記載のＷＴＲＵにおいて、３のレポーティング条件値は、測定された信号の感知信号対雑音インジケータ（ＰＳＮＩ）レベルが、ヒステリシスを伴う絶対しきい値よりも上回るときに、発行されるべきレポートを指示することを特徴とするＷＴＲＵ。
【請求項６５】
請求項６０に記載のＷＴＲＵにおいて、４のレポーティング条件値は、測定された信号のＰＳＮＩレベルが、ヒステリシスを伴う絶対しきい値よりも下回るときに、発行されるべきレポートを指示することを特徴とするＷＴＲＵ。
【請求項６６】
請求項６０に記載のＷＴＲＵにおいて、５のレポーティング条件値は、測定された信号のＲＣＰＩレベルが、サービスＡＰのＲＣＰＩからのオフセット（ヒステリシスを伴う）によって定義されたしきい値よりも上回るときに、発行されるべきレポートを指示することを特徴とするＷＴＲＵ。
【請求項６７】
請求項６０に記載のＷＴＲＵにおいて、６のレポーティング条件値は、測定された信号のＲＣＰＩレベルが、サービスＡＰのＲＣＰＩからのオフセット（ヒステリシスを伴う）によって定義されたしきい値よりも下回るときに、発行されるべきレポートを指示することを特徴とするＷＴＲＵ。
【請求項６８】
請求項６０に記載のＷＴＲＵにおいて、７のレポーティング条件値は、測定された信号のＰＳＮＩレベルが、サービスＡＰのＰＳＮＩからのオフセット（ヒステリシスを伴う）によって定義されたしきい値よりも上回るときに、発行されるべきレポートを指示することを特徴とするＷＴＲＵ。
【請求項６９】
請求項６０に記載のＷＴＲＵにおいて、８のレポーティング条件値は、測定された信号のＰＳＮＩレベルが、サービスＡＰのＰＳＮＩからのオフセット（ヒステリシスを伴う）によって定義されたしきい値よりも下回るときに、発行されるべきレポートを指示することを特徴とするＷＴＲＵ。
【請求項７０】
請求項６０に記載のＷＴＲＵにおいて、９のレポーティング条件値は、測定された信号のＲＣＰＩレベルが、サービスＡＰのＲＣＰＩ、および、前記サービスＡＰのＲＣＰＩからのオフセット（ヒステリシスを伴う）によって制約された範囲に入り、そのまま残るときに、開始するべき周期的レポート（測定毎に１つづつ）を指示することを特徴とするＷＴＲＵ。
【請求項７１】
請求項６０に記載のＷＴＲＵにおいて、１０のレポーティング条件値は、測定された信号のＰＳＮＩレベルが、サービスＡＰのＰＳＮＩ、および、前記サービスＡＰのＰＳＮＩからのオフセット（ヒステリシスを伴う）によって制約された範囲に入り、そのまま残るときに、開始するべき周期的レポート（測定毎に１つづつ）を指示することを特徴とするＷＴＲＵ。
【請求項７２】
請求項６０に記載のＷＴＲＵにおいて、１１〜２５５のレポーティング条件値が予約済であることを特徴とするＷＴＲＵ。
【請求項７３】
請求項４１に記載のＷＴＲＵにおいて、前記ビーコン要求は、１オクテットの長さのしきい値／オフセットを備え、該しきい値／オフセットは、条件付きレポーティングのために使用されるべき前記しきい値または前記オフセット値のいずれかを提供することを特徴とするＷＴＲＵ。
【請求項７４】
請求項７３に記載のＷＴＲＵにおいて、前記しきい値は、ＰＳＮＩまたはＲＣＰＩと同じユニットを有する符号なし８ビット整数であり、前記オフセット値は、［−１２７，＋１２７］の範囲における符号付き７ビット整数であることを特徴とするＷＴＲＵ。
【請求項７５】
請求項４１に記載のＷＴＲＵにおいて、前記ビーコン要求は、１オクテットの長さのヒステリシスを備え、前記ヒステリシスは、しきい値／オフセットフィールドで使用されたものと同じユニットを有する、符号なし８ビット整数ヒステリシス値を提供することを特徴とするＷＴＲＵ。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
既知の手法では、パラメータＲＣＰＩおよびＰＳＮＩの測定は単発の測定（single measurement）として行われているが、この手法には若干の不都合がある。上記のパラメータ、例えば、ＲＣＰＩおよびＰＳＮＩの測定を行う、改善された方法を提供して、より効率的なネットワーク管理の結果となるような特定の利点をもたらすことが望ましい。
【手続補正４】
【補正対象書類名】明細書
【補正対象項目名】０００８
【補正方法】変更
【補正の内容】
【０００８】
本発明によれば、新しいビーコン要求の周期的測定は、ローミングおよび動的データ転送速度調整、ならびに関連機能をサポートするために使用される。
【手続補正５】
【補正対象書類名】明細書
【補正対象項目名】０００９
【補正方法】変更
【補正の内容】
【０００９】
以下、無線送受信ユニット（ＷＴＲＵ）には、それに限定されないが、ユーザ機器、モバイルステーション、固定もしくはモバイル加入者ユニット、ページャ（ポケットベル）、または無線環境内で動作することができる他のいかなるタイプのデバイスもが含まれる。以下で参照されるとき、アクセスポイントには、それに限定されないが、ノードＢ、サイトコントローラ、アクセスポイント、または無線環境内の他のいかなるタイプのインターフェースデバイスもが含まれる。
実施形態１．  ビーコン要求に応答するビーコン信号を送信する少なくとも１つのアクセスポイントを利用する無線通信システムであって、そのビーコン信号はチャネル、測定およびモードデータを指示するために使用され、そのシステムは、追加の信号情報を組み込むために拡張され、そのビーコン要求の少なくとも１つの拡張子（extension）を含み、該拡張子は信号状態の測定を提供する。
実施形態２．  実施形態１の無線通信システムにおいて、その拡張子は、ＢＳＳＩＤ、測定期間、レポーティング条件、しきい値、測定のオフセットおよびヒステリシスのうち１つを含む。
実施形態３．    実施形態１の無線通信システムにおいて、その拡張子は、ＰＳＮＩおよびＲＣＰＩ測定のうち１つを含む。
実施形態４．    実施形態１の無線通信システムにおいて、その無線通信システムは無線ＬＡＮ接続を実施し、そのビーコン信号はそのＬＡＮ接続のその実施において提供される。
実施形態５．    実施形態１の無線通信システムにおいて、応答プロトコルはビーコン拡張子を含み、そのビーコン拡張子は、周期的測定のための繰り返し時間間隔を表す符号なし整数として提供された、期間サブフィールドを含む。
実施形態６．    実施形態１の無線通信システムにおいて、応答プロトコルはビーコン拡張子を含み、そのビーコン拡張子は期間サブフィールドを含み、その期間サブフィールドは、１４ＬＳＢを、周期的測定のための繰り返し時間間隔を表す符号なし整数として備え、０の期間サブフィールド値は、単発の非周期的測定を指示する。
実施形態７．    実施形態１の無線通信システムにおいて、そのビーコン要求拡張子は、周期的測定のための繰り返し時間間隔を表す符号なし整数として提供された、期間サブフィールドを含む。
実施形態８．    実施形態１の無線通信システムにおいて、そのビーコン要求拡張子は期間サブフィールドを含み、その期間サブフィールドは、１４ＬＳＢを、周期的測定のための繰り返し時間間隔を表す符号なし整数として備え、０の期間サブフィールド値は、単発の非周期的測定を指示する。
実施形態９．    無線ローカルエリアネットワーク（ＷＬＡＮ）において、ビーコン信号を利用するアクセスポイント（ＡＰ）を操作するための方法であって、そのビーコン信号において、ローミング、動的データ転送速度調整、および関連信号コントロール機能のうち１つをサポートするために、ビーコン要求に応答して、周期的測定を提供する。
実施形態１０．    実施形態９の方法において、そのＷＬＡＮはＷＬＡＮ接続を実施し、そのビーコン信号はそのＷＬＡＮ接続のその実施において提供される。
実施形態１１．    実施形態９の方法において、拡張子が、ＢＳＳＩＤ、測定期間、レポーティング条件、しきい値、測定のオフセットおよびヒステリシスのうち１つを含む。
実施形態１２．    実施形態９の方法において、拡張子は、ＰＳＮＩおよびＲＣＰＩ測定のうち１つを含む。
実施形態１３．    実施形態９の方法において、応答プロトコルはビーコン拡張子を含み、そのビーコン拡張子は、周期的測定のための繰り返し時間間隔を表す符号なし整数として提供された、期間サブフィールドを含む。
実施形態１４．    実施形態９の方法において、応答プロトコルはビーコン拡張子を含み、そのビーコン拡張子は期間サブフィールドを含み、その期間サブフィールドは、１４ＬＳＢを、周期的測定のための繰り返し時間間隔を表す符号なし整数として備え、０の期間サブフィールド値は、単発の非周期的測定を指示する。
実施形態１５．    実施形態９の方法において、ビーコン要求拡張子は、周期的測定のための繰り返し時間間隔を表す符号なし整数として提供された、期間サブフィールドを含む。
実施形態１６．    実施形態９の方法において、さらに、ビーコン要求拡張子が期間サブフィールドを含み、その期間サブフィールドは、１４ＬＳＢを、周期的測定のための繰り返し時間間隔を表す符号なし整数として備え、０の期間サブフィールド値は、単発の非周期的測定を指示する。
実施形態１７．    少なくとも１つのアクセスポイント（ＡＰ）および少なくとも１つの無線送受信ユニット（ＷＴＲＵ）を含む、無線ローカルエリアネットワーク（ＷＬＡＮ）において、ＷＴＲＵを操作するための方法であって、少なくとも１つの測定応答を含むビーコン要求を提供することと、その要求に応答してビーコン信号を受信することと、そのビーコン信号において提供される場合、その測定応答を得る。
実施形態１８．    実施形態１７の方法において、その測定応答は、ローミングをサポートするための測定、動的データ転送速度調整をサポートするための測定、および関連信号コントロール機能をサポートするための測定のうち１つを含む。
実施形態１９．    実施形態１７の方法において、無線通信システムがそのＷＬＡＮ接続を実施し、そのビーコン信号はそのＷＬＡＮ接続のその実施において提供される。
実施形態２０．    実施形態１７の方法において、ビーコン要求拡張子は、ＢＳＳＩＤ、測定期間、レポーティング条件、しきい値、測定のオフセットおよびヒステリシスのうち１つを含む。
実施形態２１．    実施形態１７の方法において、ビーコン要求拡張子は、ＰＳＮＩおよびＲＣＰＩ測定のうち１つを含む。
実施形態２２．    実施形態１７に記載の方法において、応答プロトコルはビーコン拡張子を含み、そのビーコン拡張子は、周期的測定のための繰り返し時間間隔を表す符号なし整数として提供された、期間サブフィールドを含む。
実施形態２３．    実施形態１７の方法において、応答プロトコルはビーコン拡張子を含み、該ビーコン拡張子は期間サブフィールドを含み、該期間サブフィールドは、１４ＬＳＢを、周期的測定のための繰り返し時間間隔を表す符号なし整数として備え、０の期間サブフィールド値は、単発の非周期的測定を指示する。
実施形態２４．    実施形態１７の方法において、ビーコン要求拡張子は、周期的測定のための繰り返し時間間隔を表す符号なし整数として提供された、期間サブフィールドを含む。
実施形態２５．    実施形態１７の方法において、ビーコン要求拡張子は期間サブフィールドを含み、その期間サブフィールドは、１４ＬＳＢを、周期的測定のための繰り返し時間間隔を表す符号なし整数として備え、０の期間サブフィールド値は、単発の非周期的測定を指示する。